(57)【要約】      （修正有）【課題】カバーは別に収納する必要がなく、操作が簡単で外観がよく、これによりカバーを遺失しやすい問題を防止できるカバー付き傘を提供する。 【解決手段】傘本体１０Ａとカバー２０Ａを包含し、カバー２０Ａは開口２１Ａと固定端２２Ａを包含し、固定端２２Ａに貫通孔２２１Ａが穿たれ、且つ貫通孔２２１Ａの辺縁にストッパリング２２１１Ａが形成され、ストッパリング２２１１Ａがカバー２０Ａを傘本体１０Ａに結束固定する。カバー２０Ａの開口２１Ａの辺縁に沿ってカバー２０Ａを固定端２２Ａの方向に巻いて固定端２２Ａの傍らに収納すると、傘を開いて使用でき、別にカバー２０Ａをしまう必要がなく、これによりカバー２０Ａがなくなる問題を防止し、また、雨の日に交通工具に乗りこむときに、カバー２０Ａがないために水の滴る傘に困ることがないようにする。【選択図】図４
0003194914.tif 000002
【実用新案登録請求の範囲】
【請求項１】
カバー付き傘において、
中棒、該中棒に接続された複数の傘骨、及び該中棒と各該傘骨に接続された傘布を包含する傘本体と、
一端に開口を、他端に固定端を具えた中空体とされて該開口を通して該傘本体を収容するカバーと、
一端が該カバーの固定端を貫通して該固定端を該中棒の該複数の傘骨との接続部分に接続固定する固定装置と、
を包含することを特徴とする、カバー付き傘。
【請求項２】
請求項１記載のカバー付き傘において、該カバーの開口の辺縁に収納リングが形成されたことを特徴とする、カバー付き傘。
【請求項３】
請求項２記載のカバー付き傘において、該中棒の上端に固定孔を具え、該カバーの固定端にさらに貫通孔を具え、該固定装置は該貫通孔をとおり該固定孔と接続固定され、これにより、該カバーと該傘本体が接続固定されることを特徴とする、カバー付き傘。
【請求項４】
請求項３記載のカバー付き傘において、該固定孔はネジ孔とされ、該固定装置の一端はネジ部とされ、他端は外径が該貫通孔の外径より大きい頭部とされ、固定装置のネジ部が該貫通孔をとおり該カバーを該中棒の上端のネジ孔に固定し、該固定装置の頭部は該固定端上に押しつけられることを特徴とする、カバー付き傘。
【請求項５】
請求項１〜４のいずれか記載のカバー付き傘において、該カバーは伸縮弾性を有する材質で形成されていることを特徴とする、カバー付き傘。
【請求項６】
請求項５記載のカバー付き傘において、該カバーはシリコーン樹脂製或いはゴム製とされることを特徴とする、カバー付き傘。
【請求項７】
カバー付き傘において、
中棒、該中棒に接続された複数の傘骨、及び該中棒と各該傘骨に接続された傘布を包含する傘本体と、
カバーであって、伸縮材料で形成され、一端に開口を、他端に固定端を具えた中空体とされ、該開口を通して該傘本体を収容し、該固定端に貫通孔が穿たれ、該貫通孔の辺縁にストッパリングが形成され、該中棒の上端が該カバーの該貫通孔を通り該カバーの該固定端へと突伸し、該ストッパリングは該中棒の外周を結束するように固定される、上記カバーと、
を包含することを特徴とする、カバー付き傘。
【請求項８】
請求項７記載のカバー付き傘において、該カバーの開口の辺縁に、収納リングが形成されたことを特徴とする、カバー付き傘。
【請求項９】
請求項８記載のカバー付き傘において、さらに固定装置を具え、該固定装置は該カバーの該固定端を該中棒に固定すると共に、これら傘骨との接続部分に位置することを特徴とする、カバー付き傘。
【請求項１０】
請求項９記載のカバー付き傘において、該固定装置はＣ形スナップリングとされて該ストッパリングよりも、該中棒のこれら傘骨との接続部分に接近した位置に設けられることを特徴とする、カバー付き傘。
【請求項１１】
請求項７乃至１０のいずれか記載のカバー付き傘において、該カバーはシリコーンゴム或いはゴム製とされることを特徴とする、カバー付き傘。
【考案の詳細な説明】
【技術分野】
【０００１】
本考案は一種のカバー付き傘に係り、特に一種の、カバーが傘に接続固定されたカバー付き傘に関する。
【背景技術】
【０００２】
傘は外出時に準備すべき物品であるが、雨天に使用した傘を持って室内に入るか或いは交通工具に乗り込むときには、濡れて水滴のしたたる傘は、自分或いは他人に面倒をもたらし、通常は、カバーを利用して、一時的に傘を収納する。しかし、図６に示されるように、既存の傘は、傘本体９０とカバー９１を包含し、該傘本体９０は中棒、複数の傘骨、及び傘布を包含し、これらの部品の接続関係は周知の技術であるので、ここで改めて説明しないが、該カバー９１は通常防水性の布で製造され、その外形は円筒状を呈し、並びに開口９１１と閉口端９１２を有し、該傘本体９０は、該開口９１１より該カバー９１中に収納され、傘を使用する必要がある時は、該カバー９１を取り外して別に収納しなければならず、それにより傘本体９０を開いて使用できる。既存のカバー９１は別に収納しなければならないため、非常に遺失しやすく、そのため使用が必要である時になって、カバー９１をどこに置いたか分からないという状況が発生する。
【考案の概要】
【考案が解決しようとする課題】
【０００３】
このため、カバーは別に収納する必要がなく、操作が簡単で外観がよく、これによりカバーを遺失しやすい問題を防止できるカバー付き傘の発明が必要である。
【課題を解決するための手段】
【０００４】
既存の技術の問題を解決し、前述の目的を達成するため、本考案は一種のカバー付き傘を提供し、それは、傘本体、カバー、及び固定装置を包含する。該傘本体は、中棒、中棒に接続された複数の傘骨、及び中棒と傘骨に接続された傘布を包含する。該カバーは中空体とされ、それは開口と固定端を具え、該開口は該カバーの一端に位置し、該固定端は該カバーの他端に位置し、該開口は該傘本体を該開口より該カバーに収容するのに用いられ、該固定装置の一端は該カバーの固定端を貫通して該固定端を該中棒とこれら傘骨の接続部分に接続固定する。
【０００５】
好ましくは、該カバーの開口の辺縁に、別に収納リングが形成され、該収納リングは収納の操作をより便利とする。
【０００６】
好ましくは、該中棒の上端に固定孔を具え、該カバーの固定端にさらに貫通孔を具え、該固定装置は該貫通孔をとおり該固定孔と接続固定され、これにより、該カバーと該傘本体が接続固定される。
【０００７】
好ましくは、該固定孔はネジ孔とされ、該固定装置の一端はネジ部とされ、他端は外径が該貫通孔の外径より大きい頭部とされ、固定装置のネジ部が該貫通孔をとおり該カバーを該中棒の上端のネジ孔に固定し、該固定装置の頭部は該固定端上に押しつけられる。
【０００８】
本考案はもう一種のカバー付き傘を提供し、それは、傘本体とカバーを包含し、該傘本体は、中棒、中棒に接続された複数の傘骨、及び中棒と傘骨に接続された傘布を包含する。該カバーは中空体とされると共に、伸縮弾性を有する材料で形成され、それは開口と固定端を具え、該開口は該カバーの一端に位置し、該固定端は該カバーの他端に位置し、該開口は該傘本体を該開口より該カバーに収容するのに用いられ、該固定端に貫通孔が穿たれ、且つ該貫通孔の辺縁に別にストッパリングが形成され、該中棒の上端は該カバーの貫通孔を通って該カバーの固定端に突伸し、該ストッパリングは該中棒外周を結束するように固定される。
【０００９】
好ましくは、該カバーの開口の辺縁に、別に収納リングが形成される。
【００１０】
好ましくは、該カバー付き傘は、さらに固定装置を具え、該固定装置は該カバーの固定端を該中棒に固定すると共に、これら傘骨との接続部分に位置する。
【００１１】
好ましくは、該固定装置はＣ形スナップリングとされ、それは該ストッパリングよりも、該中棒のこれら傘骨との接続部分に接近した位置に設けられる。
【００１２】
好ましくは、該カバーはシリコーンゴム或いはゴム製とされる。
【００１３】
好ましくは、該カバーは異なるカラー及びパターンの印刷に供されて、視覚上の美観が増加される。
【考案の効果】
【００１４】
本考案の提供するカバー付き傘は、該固定装置により該カバーが該傘本体の中棒に固定される。傘を使用したい時は、該カバーの開口の辺縁に沿って、該カバーを該固定装置の方向に巻き上げて該固定装置の傍らに収納するだけで、傘を開いて使用できるようになり、使用時に別にカバーを収納する必要はなく、これによりカバーの遺失のトラブルがなく、これにより、カバーがなくなって、雨天時に交通工具に乗り込んだり室内に入る時に、傘を収納できず、濡れて水滴のしたたる傘が自己及び他人に迷惑を及ぼすのを防止できる。
【図面の簡単な説明】
【００１５】
【図１】本考案の好ましい実施例の分解図である。
【図２】本考案の好ましい実施例のカバーを巻き上げた後の表示図である。
【図３】本考案の好ましい実施例のカバーを巻き上げた後の断面図である。
【図４】本考案の別の好ましい実施例の分解図である。
【図５】本考案の別の好ましい実施例の別の実施状態の表示図である。
【図６】既存の技術の表示図である。
【考案を実施するための形態】
【００１６】
図１には、本考案のカバー付き傘の、折り畳み傘への運用の実施例が示されている。それは、傘本体１０、カバー２０及び固定装置３０を包含する。該傘本体１０は、中棒１１、中棒１１に接続された複数の傘骨、及び中棒１１と傘骨に接続された傘布を包含する。該中棒１１の上端１１１は、該中棒１１の複数の傘骨との接続部分とされ、並びに端面に固定孔１１２を具えている。該カバー２０はシリコーンゴム或いはゴム等の、伸縮弾性を有する材料で形成された中空体とされ、並びに開口２１と固定端２２を具えている。該開口２１は該カバー２０の一端に位置し、該開口２１の辺縁に別に収納リング２１１が形成されている。該固定端２２はカバー２０の他端に位置する。該カバー２０は該開口２１を通して該傘本体１０を該カバー２０中に収容し、該固定端２２は該中棒１１の上端１１１に近接し並びに貫通孔２２１を具えている。該固定装置３０は、該貫通孔２２１と該固定孔１１２により、該中棒１１のこれら傘骨の接続部分に接続固定され、これにより、該カバー２０を該傘本体１０に接続固定する。図示される本実施例中、該カバー２０は厚さが薄い中空カバーとされ、該固定孔１１２はネジ孔とされ、該固定装置３０の一端はネジ部３１とされ、他端は外径が貫通孔２２１の外径より大きい頭部３２とされ、これにより固定装置３０のネジ部３１が該貫通孔２２１を通り、該カバー２０を該中棒１１の上端１１１に固定し、該固定装置３０の頭部３２は該固定端２２上に押しつけられる。
【００１７】
図２、図３に示されるように、カバー付き傘を使用したい時は、該カバー２０の開口２１の収納リング２１１を該固定端２２の方向に巻き上げて該固定端２２の傍らに収納し、この実施状態においては、該カバー２０は円形リング状を呈し、並びに該固定装置３０の外側を囲むように位置し、使用者はこのとき、傘を開いて使用できる。
【００１８】
図４、図５には、本考案のカバー付き傘を長傘に運用した別の好ましい実施例が示される。そのうち、該カバー２０Ａの固定端２２Ａの貫通孔２２１Ａの辺縁には別にストッパリング２２１１Ａが形成され、該カバー２０Ａは該開口２１Ａを通して該傘本体１０Ａを該カバー２０Ａ中に収容し、且つ該中棒１１Ａの上端１１１Ａは、該カバー２０Ａの貫通孔２２１Ａを通り並びに該カバー２０Ａの固定端２２Ａに突伸し、該ストッパリング２２１１Ａは該中棒１１Ａ外周を結束するように固定され、該固定装置３０ＡはＣ形スナップリングとされ、該固定装置３０Ａはさらに該カバー２０Ａを該中棒１１Ａに結束、固定し、カバー２０Ａの固定端２２Ａと中棒１１Ａの上端１１１Ａを相互に結合固定させ、且つ該固定装置３０Ａは該ストッパリング２２１１Ａよりも、該中棒１１Ａのこれら傘骨との接続部分に接近する。
【００１９】
カバー付き傘を使用した時は、該カバー２０Ａの開口２１Ａの収納リング２１１Ａを、該固定端２２Ａの方向に巻き上げて、該固定端２２Ａの傍らに収納し、この実施状態では、該カバー２０Ａは円形リング状を呈し、並びに該固定装置３０Ａの外側を囲むように位置し、使用者はこのとき、傘を開いて使用できる。
【００２０】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２１】
１０、１０Ａ  傘本体
１１、１１Ａ  中棒
１１１、１１１Ａ  上端
１１２  固定孔
２０、２０Ａ  カバー
２１、２１Ａ  開口
２１１、２１１Ａ  収納リング
２２、２２Ａ  固定端
２２１、２２１Ａ  貫通孔
２２１１Ａ  ストッパリング
３０、３０Ａ  固定装置
３１  ネジ部
３２  頭部
９０  傘本体
９１  カバー
９１１  開口
９１２  閉口端
【図１】
0003194914.tif 000003
【図２】
0003194914.tif 000004
【図３】
0003194914.tif 000005
【図４】
0003194914.tif 000006
【図５】
0003194914.tif 000007
【図６】
0003194914.tif 000008